(57)【要約】【課題】食品衛生上の問題や内容物に対する悪影響がなく、乾燥又は調湿の効果が持続性で良好な乾燥又は調湿機能を有する蓋材を提供する。【解決手段】乾燥又は調湿を必要とする内容物を収納する容器に装着する蓋材100 であって、天板110 と周壁120 とからなり、天板の下面に、容器口部を封止するインナー封止リング111 を垂設し、このインナー封止リングの内周面内側上方に、内容物の投影面積より小さい複数個の通気貫通孔131 をもつ隔離板130 を設け、この隔離板と天板との間に、乾燥剤又は調湿剤含有樹脂成形体200 を、上面と外周面を天板と熱融着し、下面を隔離板上面と熱融着して収容し、周壁の内周面に、容器との係合部121 を設ける。【選択図】図１
2005350112.tif 000002
【特許請求の範囲】
【請求項１】
乾燥又は調湿を必要とする内容物を収納する容器に装着する蓋材であって、天板と周壁とからなり、天板の下面に、容器口部を封止するインナー封止リングを垂設し、このインナー封止リングの内周面内側上方に、内容物の投影面積より小さい複数個の通気貫通孔をもつ隔離板を設け、この隔離板と天板との間に、乾燥剤又は調湿剤含有樹脂成形体を、上面と外周面を天板と熱融着し、下面を隔離板上面と熱融着して収容し、かつ、周壁の内周面に、容器との係合部を設けたことを特徴とする乾燥又は調湿機能を有する蓋材。
【請求項２】
乾燥又は調湿を必要とする内容物を収納する容器に装着する蓋材であって、本体部と蓋部とからなり、本体部の周壁の外周面の一端にヒンジを介して、上方に蓋部を開閉可能に接続し、蓋部の天板の下面に、本体部を封止するインナー封止リングを垂設し、このインナー封止リングの内周面内側上方に、内容物の投影面積より小さい複数個の通気貫通孔をもつ隔離板を設け、この隔離板と天板との間に、乾燥剤又は調湿剤含有樹脂成形体を、上面と外周面を天板と熱融着し、下面を隔離板上面と熱融着して収容し、かつ、本体部の周壁のヒンジ対向側の外周面下端に開閉用つまみを設け、内周面に容器との係合部を設けたことを特徴とする乾燥又は調湿機能を有する蓋材である。
【発明の詳細な説明】
【技術分野】
【０００１】
本発明は、乾燥が必要な例えば乾燥食品などの内容物、又は調湿が必要な例えば錠剤などの内容物を収納する容器に装着する乾燥又は調湿機能を有する蓋材に関するものである。
【背景技術】
【０００２】
従来、容器に収納する内容物に対して乾燥機能を有する蓋材としては、シート状の乾燥剤含有樹脂成形体を蓋材の天板内面下に、パッキンの代わりに挿着したものがあった。
【発明の開示】
【発明が解決しようとする課題】
【０００３】
しかしながら、上述の従来の乾燥機能を有する蓋材は、容器に収納する内容物が、天板内面下に挿着されている乾燥剤含有樹脂成形体に直接に接触してしまうため、乾燥剤含有樹脂成形体の乾燥剤が内容物へ移行することがあり、食品衛生上の問題、内容物の変質の可能性などの問題があり、また、内容物の乾燥剤含有樹脂成形体への付着の問題や、挿着されている乾燥剤含有樹脂成形体の外周縁部が、蓋材の内周面と容器の周壁外周面間にあるため、外気の水分を吸収することがあり、この水分が乾燥剤含有樹脂成形体を内側へ伝わって容器内へ侵入する問題などがあった。
【０００４】
本発明は、上述の従来の乾燥機能を有する蓋材の問題点を解決したものであり、食品衛生上の問題や内容物に対する悪影響がなく、乾燥又は調湿の効果が持続性で良好な乾燥又は調湿機能を有する蓋材を提供するものである。
【課題を解決するための手段】
【０００５】
すなわち、本発明の第１の発明は、乾燥又は調湿を必要とする内容物を収納する容器に装着する蓋材であって、天板と周壁とからなり、天板の下面に、容器口部を封止するインナー封止リングを垂設し、このインナー封止リングの内周内側上方に、内容物の投影面積より小さい複数個の通気貫通孔をもつ隔離板を設け、この隔離板と天板との間に、乾燥剤又は調湿剤含有樹脂成形体を、上面と外周面を天板と熱融着し、下面を隔離板上面と熱融着して収容し、かつ、周壁の内周面に、容器との係合部を設けたことを特徴とする乾燥又は調湿機能を有する蓋材である。
【０００６】
そして、本発明の第２の発明は、乾燥又は調湿を必要とする内容物を収納する容器に装着する蓋材であって、本体部と蓋部とからなり、本体部の周壁の外周面の一端にヒンジを介して、上方に蓋部を開閉可能に接続し、蓋部の天板の下面に、本体部を封止するインナー封止リングを垂設し、このインナー封止リングの内周面内側上方に、内容物の投影面積より小さい複数個の通気貫通孔をもつ隔離板を設け、この隔離板と天板との間に、乾燥剤又は調湿剤含有樹脂成形体を、上面と外周面を天板と熱融着し、下面を隔離板上面と熱融着して収容し、かつ、本体部の周壁のヒンジ対向側の外周面下端に開閉用つまみを設け、内周面に容器との係合部を設けたことを特徴とする乾燥又は調湿機能を有する蓋材である。
【発明の効果】
【０００７】
本発明の乾燥又は調湿機能を有する蓋材は、天板と、インナー封止リングの内周内側上方に設けられた複数個の貫通孔をもつ隔離板との間に、乾燥剤又は調湿剤含有樹脂成形体を熱融着して収容したものであり、容器内に収納されている内容物は、複数個の貫通孔をもつ隔離板により直接接触することがない。このため、内容物の食品衛生上の問題や内容
物の変質などの問題を発生することが極めて少ない。
【０００８】
また、本発明の乾燥又は調湿機能を有する蓋材は、乾燥剤又は調湿剤含有樹脂成形体が、天板下面に垂設するインナー封止リングの内側の天板と隔離板との間に収容されているため、外周縁部が外気と接触することがなく、外気の水分の影響を受けないため、乾燥剤又は調湿剤含有樹脂成形体の乾燥又は調湿の効果が持続性で良好である。
【発明を実施するための最良の形態】
【０００９】
次に、本発明の乾燥又は調湿機能を有する蓋材の実施形態について、図を用いて詳細に説明する。
【００１０】
図１（ａ）は、実施形態１の乾燥又は調湿機能を有する蓋材の断面図であり、図１（ｂ）は、そのＡ−Ａ’線断面図である。図２は、実施形態２の乾燥又は調湿機能を有する蓋材の断面図である。図３は、実施形態３の乾燥又は調湿機能を有する蓋材の断面図である。そして、図４（ａ）及び（ｂ）は、他の隔離板の通気貫通孔の形状を示す説明図である。
【００１１】
本発明の乾燥又は調湿機能を有する蓋材は、プラスチックボトルやガラス瓶など容器の口頸部に螺合や咬合により装着して、容器内を乾燥又は調湿環境にし、容器に収納されている内容物を乾燥又は調湿するものである。例えば、乾燥食品、医薬錠剤、固形健康食品、検出センサーなどの乾燥環境を必要とする内容物、または、医薬カプセル錠剤などの調湿環境を必要とする内容物を収納する容器に使用されるものである。
【００１２】
実施形態１の乾燥又は調湿機能を有する蓋材（１００）の構造は、図１（ａ）に示すように、天板（１１０）と周壁（１２０）とからなる螺合タイプのキャップ形状であり、天板の下面に、容器口部を封止するインナー封止リング（１１１）（外周面を容器口部の内面に密着）を垂設し、このインナー封止リングの内周内側上方に、内容物の投影面積より小さい図１（ｂ）に示す１２個の通気貫通孔（１３１）を中心部から放射状にもつ隔離板（１３０）を設け、この隔離板と天板との間に、乾燥剤又は調湿剤含有樹脂成形体（２００）を、上面と外周面を天板と熱融着し、下面を隔離板上面と熱融着して収容し、周壁の内周面に、容器との雌ネジ（１２１）を設けるものである。また、必要に応じては、容器の密封性を向上するために、図１（ａ）に示すように、インナー封止リング（１１１）の外側に、容器口頸部の上端部外周面に密接するアウター封止リング（１１２）を垂設するものである。
【００１３】
なお、隔離板の通気貫通孔の形状としては、上述の放射状のものに限るものではなく、例えば、図４（ａ）に示すように、格子目状の通気貫通孔（１３１）や、図４（ｂ）に示すように、丸形状の通気貫通孔（１３１）など、容器の使用目的に合わせた形状の通気貫通孔が用いられるものである。
【００１４】
乾燥剤又は調湿剤含有樹脂成形体は、酸化カルシウムなどの乾燥剤又は焼みょうばんなどの調湿剤を含有する熱可塑性樹脂を射出成形法により作製するものである。この熱可塑性樹脂は、蓋材の樹脂と熱融着するものであり、蓋材がポリプロピレン（エチレンとのブロック又はランダム共重合体）の場合には、低密度ポリエチレン、直鎖状低密度ポリエチレン、高密度ポリエチレン、ポリプロピレンなどであり、蓋材が高密度ポリエチレンの場合には、低密度ポリエチレン、直鎖状低密度ポリエチレン、高密度ポリエチレン、ポリプロピレン（エチレンとのブロック又はランダム共重合体）などである。
【００１５】
上述の乾燥又は調湿機能を有する蓋材の製造方法には、インサート射出成形法と２色射出成形法とがある。インサート射出成形法は、雌型の天板形成キャビティの中心部にゲー
ト位置がある射出成形用金型を用いるものであり、まず、射出成形機上の射出成形金型を型開きし、乾燥剤又は調湿剤含有樹脂成形体を、雄型の天板形成キャビティ面に、所定位置に設けられているエアー孔からエアーを吸引して仮固定し、次に、型締めして、ゲートから溶融樹脂をキャビティ（成形品が成形される雄型と雌型の間の空間）内へ射出し、蓋材を成形すると同時に、図１（ａ）及び（ｂ）に示すように、乾燥剤又は調湿剤含有樹脂成形体（２００）の上面と外周面を天板（１１０）に熱融着し、また、乾燥剤又は調湿剤含有樹脂成形体の下面を通気貫通孔（１３１）もつ隔離板（１３０）の上面と熱融着して、乾燥剤又は調湿剤含有樹脂成形体を封入して乾燥又は調湿機能を有する蓋材（１００）を作製するものである。なお、乾燥剤又は調湿剤含有樹脂成形体の金型内への挿入は、インサーターによるものである。
【００１６】
また、２色射出成形法は、２組の射出装置を備える２色射出成形機を用い、まず、乾燥剤又は調湿剤含有樹脂成形体用射出成形金型で乾燥剤又は調湿剤含有樹脂成形体を作製し、次に、この乾燥剤又は調湿剤含有樹脂成形体を、蓋材用射出成形金型内に移動して、蓋材を成形すると同時に、乾燥剤又は調湿剤含有樹脂成形体の上面と外周面を天板に熱融着し、また、乾燥剤又は調湿剤含有樹脂成形体の下面を通気貫通孔もつ隔離板の上面と熱融着して、乾燥剤又は調湿剤含有樹脂成形体を封入して乾燥又は調湿機能を有する蓋材を作製するものである。
【００１７】
次に、実施形態２の乾燥又は調湿機能を有する蓋材（１００）の構造は、図２に示すように、打栓タイプのキャップ形状であり、周壁（１２０）の内周面下端部に容器との咬合リング（１２２）を設けた以外は、実施形態１の乾燥又は調湿機能を有する蓋材と同様である。
【００１８】
次に、実施形態３の乾燥又は調湿機能を有する蓋材（３００）の構造は、図３に示すように、本体部（３１０）と蓋部（３２０）とからなる所謂ヒンジキャップであり、本体部の周壁（３１１）の外周面の一端にヒンジ（３４０）を介して上方に蓋部を開閉可能に接続するものである。本体部は、天板（３１３）の内側上面に注出筒（３１４）を立設し、蓋部は、天板（３２１）の下面に、本体部の注出筒を封止するインナー封止リング（３２２）（外周面を注出筒の上端部内周面に密接）を垂設し、このインナー封止リングの内周面内側上方に、内容物の投影面積より小さい１２個の通気貫通孔（３３１）を中心部から放射状にもつ隔離板（３３０）を設け、この隔離板と天板との間に、乾燥剤又は調湿剤含有樹脂成形体（２００）を、上面と外周面を天板と熱融着し、下面を隔離板上面と熱融着して収容し、また、蓋部の周壁のヒンジ対向側の外周面下端に開閉用つまみ（３２５）を設け、本体部の周壁の内周面下端部に容器との咬合リング（３１２）を設けるものである。また、必要に応じては、容器の密封性を向上するために、蓋部のインナー封止リングの外側に、本体部の注出筒の上端部外周面に密接するアウター封止リング（３２３）を垂設するものである。その他については、実施形態１の乾燥又は調湿機能を有する蓋材と同様である。
【図面の簡単な説明】
【００１９】
【図１】（ａ）は、本発明の実施形態１の乾燥又は調湿機能を有する蓋材の断面図であり、（ｂ）は、そのＡ−Ａ’線断面図である。
【図２】本発明の実施形態２の乾燥又は調湿機能を有する蓋材の断面図である。
【図３】本発明の実施形態３の乾燥又は調湿機能を有する蓋材の断面図である。
【図４】（ａ）及び（ｂ）は、他の隔離板の通気貫通孔の形状を示す説明図である。
【符号の説明】
【００２０】
１００，３００……乾燥又は調湿機能を有する蓋材
１１０，３１３，３２１……天板
１１１，３２２……インナー封止リング
１１２，３２３……アウター封止リング
１２０，３１１，３２４……周壁
１２１……雌ネジ又は係合部
１２２，３１２……咬合リング
１３０，３３０……隔離板
１３１，３３１……通気貫通孔
２００……乾燥剤又は調湿剤含有樹脂成形体
３１０……本体部
３１４……注出筒
３２０……蓋部
３２５……開閉用つまみ
３４０……ヒンジ
【図１】
2005350112.tif 000003
【図２】
2005350112.tif 000004
【図３】
2005350112.tif 000005
【図４】
2005350112.tif 000006